(57)【特許請求の範囲】
【請求項１】
試打者の手の大きさに関する情報に基づいて、複数種類のグリップの中から推奨グリップを選択する第一の選択工程と、
前記第一の選択工程で選択された推奨グリップを装着したゴルフクラブによって前記試打者にゴルフボールを打撃させ、試打者のスイング特性を計測装置で計測する計測工程と、
前記計測工程での計測結果に基づいて、前記複数種類のグリップの中から推奨グリップを選択する第二の選択工程と、を備え、
前記計測工程では、前記スイング特性として、打撃時のフェース面の向きを計測し、
前記第二の選択工程では、前記フェース面の向きが開いている程細いグリップを、前記フェース面の向きが閉じている程太いグリップを、推奨グリップとして選択する、
ことを特徴とする選択支援方法。
【請求項２】
請求項１に記載の選択支援方法であって、
前記第二の選択工程で選択された推奨グリップを装着したゴルフクラブによって前記試打者にゴルフボールを打撃させ、試打者のスイング特性を計測装置で計測する再計測工程と、
前記再計測工程での計測結果に基づいて、前記複数種類のグリップの中から推奨グリップを選択する第三の選択工程と、を更に備える、
ことを特徴とする選択支援方法。
【請求項３】
請求項２に記載の選択支援方法であって、
前記再計測工程では、前記スイング特性として、打撃位置から所定距離手前までのヘッドの移動範囲における、ヘッドの移動方向に対するフェース面の向きの変化の度合いを計測する、
ことを特徴とする選択支援方法。
【請求項４】
請求項２に記載の選択支援方法であって、
前記第三の選択工程では、前記試打者に適した形状のグリップを推奨グリップとして選択する、
ことを特徴とする選択支援方法。
【請求項５】
請求項３に記載の選択支援方法であって、
前記第三の選択工程では、前記変化の度合いが大きい程テーパの強いグリップを、前記変化の度合いが小さい程テーパの弱いグリップを、推奨グリップとして選択する、
ことを特徴とする選択支援方法。
【請求項６】
請求項１に記載の選択支援方法であって、
前記情報は、前記試打者のグローブサイズ、又は、前記試打者の手の大きさの計測値である、
ことを特徴とする選択支援方法。
【請求項７】
試打者の手の大きさに関する情報に基づいて、複数種類のグリップの中から推奨グリップを選択する第一の選択手段と、
前記試打者が前記第一の選択手段で選択された推奨グリップを装着したゴルフクラブによってゴルフボールを打撃したときの、前記試打者のスイング特性を計測する計測手段と、
前記計測手段の計測結果に基づいて、前記複数種類のグリップの中から推奨グリップを選択する第二の選択手段と、を備え、
前記計測手段は、前記スイング特性として、打撃時のフェース面の向きを計測し、
前記第二の選択手段は、前記フェース面の向きが開いている程細いグリップを、前記フェース面の向きが閉じている程太いグリップを、推奨グリップとして選択する、
ことを特徴とする選択支援装置。
【発明の詳細な説明】
【技術分野】
【０００１】
本発明は、ゴルフクラブを構成するグリップの選択支援技術に関する。
【背景技術】
【０００２】
ゴルファーの間では、より自分に適したゴルフクラブを求める風潮が高まっている。そこで、個々のゴルファーに適したゴルフクラブの構成部品を推奨する方法が提案されている（特許文献１〜７）。
【先行技術文献】
【特許文献】
【０００３】
【特許文献１】特開２００２−１１９６２１号公報
【特許文献２】特表２００１−５１１０４５号公報
【特許文献３】米国特許第８５７９７３１号明細書
【特許文献４】米国特許第８０５７３２７号明細書
【特許文献５】米国特許第４２７２０７７号明細書
【特許文献６】米国特許出願公開第２０１４／３７８２３８号明細書
【特許文献７】米国特許第８９２６４５４号明細書
【発明の概要】
【発明が解決しようとする課題】
【０００４】
ゴルフクラブの構成部品のうち、グリップは、一般に、ゴルファーの手の大きさを目安として選択されている。しかし、グリップの特性はゴルファのスイングに影響を与える場合がある。
【０００５】
本発明の目的は、ゴルファーのスイングに適したグリップを推奨できる仕組みを提供することにある。
【課題を解決するための手段】
【０００６】
本発明によれば、例えば、試打者の手の大きさに関する情報に基づいて、複数種類のグリップの中から推奨グリップを選択する第一の選択工程と、前記第一の選択工程で選択された推奨グリップを装着したゴルフクラブによって前記試打者にゴルフボールを打撃させ、試打者のスイング特性を計測装置で計測する計測工程と、前記計測工程での計測結果に基づいて、前記複数種類のグリップの中から推奨グリップを選択する第二の選択工程と、を備え、前記計測工程では、前記スイング特性として、打撃時のフェース面の向きを計測し、前記第二の選択工程では、前記フェース面の向きが開いている程細いグリップを、前記フェース面の向きが閉じている程太いグリップを、推奨グリップとして選択する、ことを特徴とする選択支援方法が提供される。
【発明の効果】
【０００７】
本発明によれば、ゴルファーのスイングに適したグリップを推奨できる仕組みを提供することができる。
【図面の簡単な説明】
【０００８】
【図１】（Ａ）は試打クラブの説明図、（Ｂ）グリップの種類の例を示す図、（Ｃ）はグリップの複数の部位の直径の説明図、
【図２】実施形態に係る選択支援方法の流れを示すフローチャート。
【図３】グローブサイズの採寸例の説明図、（Ｂ）は手の大きさの採寸例の説明図、（Ｃ）はグローブサイズと推奨グリップとの関係例を示す図、。
【図４】（Ａ）及び（Ｂ）は計測装置の例を示す説明図。
【図５】（Ａ）はヘッドの移動範囲の説明図、（Ｂ）はスイング特性の例の説明図、（Ｃ）はスイング特性と推奨グリップとの関係例を示す図。
【図６】（Ａ）及び（Ｂ）はスイング特性の例の説明図、（Ｃ）はスイング特性と推奨グリップとの関係例を示す図。
【図７】実施形態に係る選択支援装置のブロック図。
【発明を実施するための形態】
【０００９】
＜第１実施形態＞
本発明の一実施形態に係る選択支援方法について説明する。本実施形態では、試打クラブを複数準備し、試打クラブの試打結果に基づいて推奨グリップを選択する工程を含む。まず、図１（Ａ）を参照して試打クラブについて説明する。
【００１０】
図１（Ａ）は７本の試打クラブ＃１〜＃７を図示している。試打クラブ＃１〜＃７はドライバーであるが、他の種類のゴルフクラブであってもよい。試打クラブ＃１〜＃７はヘッド１及びシャフト２を共通にするドライバーであり、グリップのみが異なっている。試打クラブ＃１〜＃７には、それぞれ、グリップＧ１〜Ｇ７が装着されている。
【００１１】
本実施形態は、７種類のグリップＧ１〜Ｇ７の中から推奨グリップを選択する。しかし、グリップの種類は７種類に限られず、８種類以上であってもよいし、６種類以下であってもよい。図１（Ｂ）はグリップＧ１〜Ｇ７の仕様の説明図であり、図１（Ｃ）に示す各位置０〜１０におけるグリップの直径を示している。位置０は最も手元側であり、位置１０は最も先端側（ヘッド１側）である。グリップの直径は、グリップをシャフトに装着していない状態での直径を例示している。
【００１２】
グリップＧ１〜Ｇ５は、主に、互いにグリップの太さが異なっている。グリップＧ１は最も細いグリップであり、グリップＧ５は最も太いグリップである。グリップＧ６とグリップＧ７は、主に、互いに形状が異なっている。ここでは、グリップの形状としてテーパを例示している。テーパとは、手元の位置０から先端の位置１０に至るグリップの直径の変化の程度を意味し、手元側と先端側とで直径の差が大きいグリップをテーパが強いグリップと呼び、差が小さいグリップをテーパが弱いグリップと呼ぶ。グリップＧ６は相対的にテーパが弱いグリップであり、グリップＧ１〜Ｇ５よりもテーパが弱い。グリップＧ７は相対的にテーパが強いグリップであり、グリップＧ１〜Ｇ５よりもテーパが強い。太さの観点でみると、グリップＧ６及びＧ７は、グリップＧ３に近い太さに設計されている。グリップの種類を特徴づける要素としては、太さや形状の他に、重さ、硬さ、バックラインの有無等を挙げることができる。
【００１３】
図２を参照して本実施形態の選択支援方法について説明する。Ｓ１では試打者の手の大きさに関する情報を確認する。本実施形態の場合、この情報として試打者のグローブサイズ（ｃｍ）を確認する。グローブサイズは、試打者から自身のグローブサイズをヒアリングすればよいが、試打者が自身のグローブサイズを知らない場合、例えば、図３（Ａ）の方式でグローブサイズを決定することができる。すなわち、図３（Ａ）で矢印で示すように、小指の付け根から１ｃｍほど下の部分において、手のひらの周囲の長さを計り、その長さに１ｃｍを加算した長さをグローブサイズとする。
【００１４】
なお、試打者の手の大きさに関する情報としては、グローブサイズの他に、試打者の手の大きさの計測値であってもよい。図３（Ｂ）は計測例を示す。同図の例では、手のひらの最下端から指先までの長さＬを手の大きさとした例を示している。
【００１５】
図２に戻り、Ｓ２ではＳ１で確認した情報に基づいて、グリップＧ１〜Ｇ５の中から推奨グリップの一回目の選択を行う。本実施形態では、予めグローブサイズと推奨グリップとの関係とを定めておき、この関係にしたがって推奨グリップを選択する。図３（Ｃ）はグローブサイズと推奨グリップとの関係例を示している。図３（Ｃ）の例の場合、グローブサイズが２０ｃｍ以下の場合、推奨グリップとしてグリップＧ１を選択する。また、グローブサイズが２４ｃｍ以上２５ｃｍ以下の場合、推奨グリップとしてグリップＧ４を選択する。
【００１６】
Ｓ２で選択した推奨グリップは、試打者の手の大きさに適する太さのグリップであるが、試打者のスイング特性によっては、このグリップとは異なるグリップが更に試打者に適している場合がある。そこで、Ｓ３ではＳ２で選択した推奨グリップを装着したゴルフクラブによって試打者にゴルフボールを実際に打撃させ、試打者のスイング特性を計測する。例えば、Ｓ２で選択した推奨グリップがグリップＧ２であった場合、図１（Ａ）に示すゴルフクラブ＃２を用いて試打者に試打を行ってもらう。
【００１７】
計測装置としては、スイング中のゴルフクラブの動き（例えば、ヘッド１の動き）を計測する装置や、打球の動きを計測する装置を用いることができる。図４（Ａ）及び図４（Ｂ）はスイング特性を計測する計測装置の例を示している。
【００１８】
図４（Ａ）の計測装置は、パソコン３と複数の撮影装置３１、３２とを含む。パソコン３は、撮影装置３１、３２が撮影した画像の処理機能を有している。撮影装置３１、３２は例えばビデオカメラであり、撮影方向又は撮影範囲が異なるように配置される。本実施形態では２つの撮影装置３１、３２を例示しているが計測内容によっては、一つの撮影装置でよい場合がある。ゴルファーは試打室等で試打を行う。試打室等において複数の撮影装置３１、３２により試打者やヘッド１及びシャフト２を撮影し、試打クラブの挙動が撮影される。撮影画像は特性データとしてパソコン３に取り込まれて解析される。
【００１９】
図４（Ｂ）の計測装置は、携帯端末４とセンサ４１とを含む。携帯端末４は例えばスマートフォンであり、センサ４１との近距離無線通信機能を有する。センサ４１は、ゴルフクラブに装着されてその３次元的な挙動を計測するセンサであり、例えば、９軸センサ（加速度３軸、角速度３軸、方位３軸）である。センサ４１は例えばシャフト２に装着される。試打者が試打を行うと、センサ４１によりその挙動が計測され、計測結果としての複数種類の特性データがセンサ４１から携帯端末４へ送信される。携帯端末４は受信した特性データをそのまま、或いは、所定の形式の特性データとする。
【００２０】
Ｓ３で計測するスイング特性は、本実施形態の場合、打撃時のフェース面の向き（インパクトフェースアングル）である。図５（Ａ）及び図５（Ｂ）はその説明図である。飛球線方向に沿う水平方向をＹ軸、Ｙ軸と直交する水平方向をＸ軸、鉛直方向をＺ軸とした仮想の３次元空間を想定する。なお、これらの座標軸設定は、例えば、テークバック直後のヘッドの移動方向をＹ軸方向として設定してもよい。
【００２１】
インパクトフェースアングルは、打撃位置Ｙ１でのヘッド１のフェース面１ａの向きであり、ここでは、Ｘ−Ｙ平面上において、Ｘ方向とフェース面１ａとがなす角度θｆａとしている。角度θｆａは、例えば、アドレス時には０とみなすことができる。角度θｆａは、フェース面１ａが開く方向を＋の角度とし、フェース面１ａが閉じる方向を−の角度とする。
【００２２】
図２に戻り、Ｓ４ではＳ３での計測結果に基づいて、グリップＧ１〜Ｇ５の中から推奨グリップの二回目の選択を行う。本実施形態では、予め角度θｆａと推奨グリップとの関係とを定めておき、この関係にしたがって推奨グリップを選択する。図５（Ｃ）は角度θｆａと推奨グリップとの関係例を示している。横軸が角度θｆａである。
【００２３】
打撃時にフェース面１ａが開くと打球がスライスする。一方、細いグリップのゴルフクラブはフェースローテーションを行い易く、打撃時にフェース面１ａが閉じ易くなる。したがって、フェース面１ａの向きが開いている程、細いグリップを選択する。図５（Ｃ）の例の場合、角度θｆａが＋ａ以上の場合は、Ｓ２で選択した推奨グリップよりも細いグリップを推奨する。例えば、Ｓ２で選択した推奨グリップがグリップＧ４の場合、グリップＧ１〜Ｇ３のいずれか一つを推奨グリップとして選択する。その際、例えば、１グレード細いグリップを選択してもよい。具体的には、Ｓ２で選択した推奨グリップがグリップＧ４の場合、グリップＧ３を推奨グリップとして選択する。Ｓ２で選択した推奨グリップよりも細いグリップが無い場合はＳ２で選択した推奨グリップを選択する。このように角度θｆａが＋ａ以上の場合、より細いグリップを推奨することでスライスを軽減させることができる。
【００２４】
打撃時にフェース面１ａが閉じると打球がフックする。一方、太いグリップのゴルフクラブはフェースローテーションが抑制され、打撃時にフェース面１ａが閉じることが抑制される。したがって、フェース面１ａの向きが閉じている程、太いグリップを選択する。図５（Ｃ）の例の場合、角度θｆａが−ｂ以下の場合は、Ｓ２で選択した推奨グリップよりも太いグリップを推奨する。例えば、Ｓ２で選択した推奨グリップがグリップＧ１の場合、グリップＧ２〜Ｇ５のいずれか一つを推奨グリップとして選択する。その際、例えば、１グレード太いグリップを選択してもよい。具体的には、Ｓ２で選択した推奨グリップがグリップＧ１の場合、グリップＧ２を推奨グリップとして選択する。Ｓ２で選択した推奨グリップよりも太いグリップが無い場合はＳ２で選択した推奨グリップを選択する。このように角度θｆａが−ｂ以下の場合、より太いグリップを推奨することでフックを軽減させることができる。
【００２５】
図５（Ｃ）の例の場合、角度θｆａが−ｂよりも大きく、＋ａよりも小さい場合はＳ２で選択した推奨グリップを選択する。角度θｆａがこの閾値範囲内の場合、フェース面１ａが大きく開いたり、閉じていないと考えられ、Ｓ２で選択した推奨グリップが適していると考えられる。
【００２６】
図５（Ｃ）の＋ａや−ｂの閾値は、複数の実験者による試打実験から定めることができる。＋ａの値としては、例えば、＋８度以上＋１２度以下の範囲内の値とすることができ、特に、＋１０度とすることができる。−ｂの値としては、例えば、−７度以上−３度以下の範囲内の値とすることができ、特に、−５度とすることができる。
【００２７】
本実施形態では、閾値を＋ａと−ｂの２つとしたが、３以上であってもよい。その場合、角度θｆａの絶対値が大きい程、Ｓ２で選択した推奨グリップに対する太さのグレードの変化を大きくしてもよい。例えば、角度θｆａが大きい程、２グレード或いは３グレード細いグリップを推奨グリップとして選択し、角度θｆａが小さい程、２グレード或いは３グレード太いグリップを推奨グリップとして選択してもよい。
【００２８】
試打者のスイング特性によっては、グリップＧ１〜Ｇ５よりも、グリップＧ６やＧ７が適している場合がある。そこで、Ｓ５ではＳ４で選択した推奨グリップを装着したゴルフクラブによって試打者にゴルフボールを実際に打撃させ、試打者のスイング特性を再計測する。例えば、Ｓ４で選択した推奨グリップがグリップＧ３であった場合、図１（Ａ）に示すゴルフクラブ＃３を用いて試打者に再度試打を行ってもらう。
【００２９】
Ｓ５で計測するスイング特性は、本実施形態の場合、Ｓ３で計測したスイング特性と異なるスイング特性である。本実施形態の場合、Ｓ５では、打撃位置から所定距離手前までのヘッドの移動範囲（インパクトゾーン）における、ヘッドの移動方向に対するフェース面の向きの変化の度合い（フェース変化率）を計測する。図５（Ａ）及び図６（Ａ）はその説明図である。
【００３０】
インパクトゾーンは、図５（Ａ）に示すように、打撃位置Ｙ１から、飛球線後方の位置Ｙ２までの区間（例えば５０ｃｍ）である。インパクトゾーンにおけるヘッド軌道は、インパクトゾーンにおけるヘッド１の移動方向ｄであり、ここでは、Ｘ−Ｙ平面上において、Ｙ方向とヘッド１の移動方向とがなす角度θｈとしている。ヘッド１の移動方向は、例えば、打撃位置Ｙ１と位置Ｙ２とにおけるヘッド１の位置を結ぶ方向とすることができる。角度θｈが大きいほど、アウトサイドイン或いはインサイドアウトの傾向が強いことになる。
【００３１】
ヘッド１の移動方向ｄに対するフェース面１ａの向きＤを、Ｄ＝θｆａ−θｈとする。向きＤを、インパクトゾーンの複数の位置で算出し、図６（Ｂ）に示すように、Ｙ軸方向のヘッド１の位置と、向きＤとを座標軸とした座標面上にプロットすると、その近似直線Ｋの傾きがフェース変化率となる。同図の座標軸の取り方を採用すると、フェース変化率はマイナスの値をとり、フェース変化率の絶対値が大きいほど、フェース面の向きの変化の度合いが大きく、つまり、フェースローテーションが多い傾向にある。
【００３２】
図２に戻り、Ｓ６ではＳ５での計測結果に基づいて、グリップＧ１〜Ｇ７の中から推奨グリップの三回目の選択を行う。本実施形態では、予めフェース変化率と推奨グリップとの関係とを定めておき、この関係にしたがって推奨グリップを選択する。図６（Ｃ）はフェース変化率と推奨グリップとの関係例を示している。横軸がフェース変化率である。既に述べたように、フェース変化率はマイナスの値をとることから、同図の横軸を右側に進む程、フェース変化率の値が小さくなり（絶対値は大きくなり）、フェース面１ａの変化（フェースローテーション）が大きいことになる。同図の横軸を左側に進む程、フェース変化率の値が大きくなり（絶対値は小さくなり）、フェースローテーションが小さいことになる。
【００３３】
フェースローテーションが大きい試打者の場合、フェースローテーションを行い易いゴルフクラブが適している。テーパが強いグリップを装着したゴルフクラブは、操作性が高くなり、フェースローテーションを行い易くなる。したがって、フェース面の向きの変化の度合いが大きい程、テーパのより強いグリップを推奨する。図６（Ｃ）の例の場合、フェース変化率が−ｃ以下の場合は、グリップＧ７を推奨する。
【００３４】
フェースローテーションが小さい試打者の場合、フェース面１ａが変化し難いゴルフクラブが適している。テーパが弱いグリップを装着したゴルフクラブは、操作性が低くなり、フェースローテーションが生じ難くなる。したがって、フェース面の向きの変化の度合いが小さい程、テーパのより弱いグリップを推奨する。図６（Ｃ）の例の場合、フェース変化率が−ｄ以上の場合は、グリップＧ６を推奨する。
【００３５】
図６（Ｃ）の例の場合、フェース変化率が−ｄよりも小さく、−ｃよりも大きい場合はＳ４で選択した推奨グリップを選択する。フェース変化率がこの閾値範囲内の場合、フェースローテーションが平均的な試打者であると考えられ、Ｓ４で選択した推奨グリップが適していると考えられる。
【００３６】
図６（Ｃ）の−ｃや−ｄの閾値は、複数の実験者による試打実験から定めることができる。−ｃの値としては、例えば、−２７deg/m以上−３３deg/m以下の範囲内の値とすることができ、特に、−３０deg/mとすることができる。−ｄの値としては、例えば、−１８deg/m以上−２２deg/m以下の範囲内の値とすることができ、特に、−２０deg/mとすることができる。
【００３７】
以上のようにして、Ｓ６で選択したグリップが最終的な推奨グリップとなる。ゴルファーの手の大きさに適しつつ、スイングに適したグリップを推奨できる。
【００３８】
＜第二実施形態＞
第一実施形態では、グローブサイズ（Ｓ１）、スイング特性（Ｓ３）、スイング特性（Ｓ５）に基づき、最終的な推奨グリップを三段階で選択している（Ｓ２、Ｓ４、Ｓ６）。しかし、二段階で選択してもよい。例えば、Ｓ５及びＳ６を省略することで、Ｓ４で選択した推奨グリップを最終的な推奨グリップとしてもよい。また、例えば、Ｓ３及びＳ４を省略して二段階で最終的な推奨グリップを選択してもよい。具体的には、Ｓ２で選択した推奨グリップを装着したゴルフクラブでＳ５と同様の試打と計測を行い、Ｓ６と同様の方法で選択したグリップを最終的な推奨グリップとしてもよい。
【００３９】
＜第三実施形態＞
第一実施形態では、Ｓ４でインパクトフェースアングルに基づき推奨グリップを選択したが、Ｓ３で打球のサイドスピン量を計測し、Ｓ４で打球のサイドスピン量に基づき推奨グリップを選択してもよい。サイドスピン量に基づき推奨グリップを選択する場合、例えば、スライス系のサイドスピン量が第一閾値以上である場合、より細いグリップを選択し、フック系のサイドスピン量が第二閾値以上である場合、より太いグリップを選択することができる。第一閾値と第二閾値とは同じ値であっても異なる値であってもよい。
【００４０】
また、第一実施形態では、Ｓ６でフェース変化率に基づき推奨グリップを選択したが、Ｓ５でインパクトゾーンにおけるシャフト２の軸回りの角速度を計測し、Ｓ６でシャフト２の軸回りの角速度に基づき推奨グリップを選択してもよい。この場合、角速度が第一閾値以上である場合、テーパがより強いグリップを選択し、角速度が第二閾値以下の場合、テーパがより弱いグリップを選択することができる。第一閾値と第二閾値とは同じ値であっても異なる値であってもよい。
【００４１】
＜第四実施形態＞
第一実施形態では、Ｓ４において一種類のスイング特性に基づいて推奨グリップを選択したが、複数種類のスイング特性に基づいて推奨グリップを選択してもよい。同様に、Ｓ６において一種類のスイング特性に基づいて推奨グリップを選択したが、複数種類のスイング特性に基づいて推奨グリップを選択してもよい。スイング特性としては、上述したスイング特性以外に、ヘッドスピード、インパクトゾーンにおけるヘッド軌道等を挙げることができる。
【００４２】
＜第五実施形態＞
上述した選択支援方法の少なくとも一部の工程を行う選択支援装置の例について説明する。図７は選択支援装置１０のブロック図である。選択支援装置１０は一般的なパソコンやサーバコンピュータから構成することが可能である。選択支援装置１０は、ＣＰＵ１１、記憶部１２及びインタフェース１３を含む。記憶部１２は、例えば、ＲＡＭ、ＲＯＭ、ハードディスク等である。記憶部１２には、選択情報１２ａが格納される。選択情報１２ａは、推奨グリップを自動選択するための情報であり、例えば、図３（Ｃ）の関係を示す情報、図５（Ｃ）の関係を示す情報、図６（Ｃ）の関係を示す情報等が含まれる。
【００４３】
選択支援装置１０には、インタフェース１３を介して入力装置１４、計測装置（不図示）、表示装置１５等が接続される。入力装置１４は、例えば、キーボードやマウスであり、グローブサイズ等の試打者の手の大きさに関する情報が入力される。ＣＰＵ１１はこの情報の入力を受け付け、選択情報１２ａに基づき、Ｓ２の推奨グリップの自動選択を行うことができる。ＣＰＵ１１はまた、不図示の計測装置からスイング特性に関わる情報の入力を受け付け、選択情報１２ａに基づき、Ｓ４やＳ６の推奨グリップの自動選択を行うことができる。計測装置は、図３（Ａ）や図３（Ｂ）に例示した装置と同様の装置を採用可能である。推奨グリップは表示装置１５に表示することができる。
【符号の説明】
【００４４】
Ｇ１〜Ｇ７  グリップ
【図１】
0006652789.tif 000002
【図２】
0006652789.tif 000003
【図３】
0006652789.tif 000004
【図４】
0006652789.tif 000005
【図５】
0006652789.tif 000006
【図６】
0006652789.tif 000007
【図７】
0006652789.tif 000008